Podtech/llm-jp-corpus-v4-ja_patent huggingface dataset:
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
遊技者にとって有利な有利期間に対応した制御を実行可能な遊技機であって、
遊技価値を付与する遊技価値付与手段と、
演出を実行可能な演出実行手段と、
前記遊技価値付与手段によって付与された遊技価値を集計可能な遊技価値集計手段と、
前記遊技価値集計手段により集計された集計値を表示可能な集計値表示手段と、
を備え、
前記有利期間は、特定期間と、前記特定期間と繋がる期間であって前記特定期間と遊技者にとっての有利度合いが異なり遊技者にとって有利な特定報知演出が実行される所定期間と、前記特定期間及び前記所定期間と遊技者にとっての有利度が異なる特別期間と、を含み、
前記遊技価値集計手段は、前記有利期間において前記遊技価値付与手段により付与された遊技価値の集計値である第１集計値を集計可能であるとともに、前記特定期間と前記所定期間の期間中において前記遊技価値付与手段により付与された遊技価値の集計値である第２集計値を集計可能であり、
前記集計値表示手段は、前記第１集計値と前記第２集計値とを表示可能であり、
さらに、
遊技媒体が特定領域を通過したことに基づいて、設定値に応じた特定制御を実行可能な特定制御手段と、
前記設定値を変更可能な設定変更モードに制御可能な設定変更モード制御手段と、
を備え、
前記設定変更モードに制御されているときは、遊技媒体が前記特定領域を通過しても前記特定制御が実行されない
ことを特徴とする遊技機。
【手続補正２】
【補正対象書類名】明細書
【補正対象項目名】０００６
【補正方法】変更
【補正の内容】
【０００６】
前記課題を解決するために、本発明の手段１の遊技機は、
遊技者にとって有利な有利期間（例えば、大当り遊技状態、低確高ベース状態、スペシャルゾーンを含む高確高ベース状態、小当り遊技状態）に対応した制御を実行可能な遊技機（例えば、パチンコ遊技機１）であって、
遊技価値（例えば、賞球）を付与する遊技価値付与手段（例えば、ＣＰＵ１０３が賞球処理を実行する部分）と、
演出を実行可能な演出実行手段（例えば、演出制御用ＣＰＵ１２０が演出制御プロセス処理を実行する部分）と、
前記遊技価値付与手段によって付与された遊技価値を集計可能な遊技価値集計手段（例えば、演出制御用ＣＰＵ１２０が図８−１７に示す賞球数表示処理の１１３ＳＧＳ３０８や１１３ＳＧＳ３１９の処理を実行する部分）と、
前記遊技価値集計手段により集計された集計値を表示可能な集計値表示手段（例えば、演出制御用ＣＰＵ１２０が図８−１７に示す賞球数表示処理の１１３ＳＧＳ３０９や１１３ＳＧＳ３２０の処理を実行する部分）と、
を備え、
前記有利期間は、特定期間（例えば、大当り遊技状態）と、前記特定期間と繋がる期間であって前記特定期間と遊技者にとっての有利度合いが異なり遊技者にとって有利な特定報知演出が実行される所定期間（例えば、スペシャルゾーンを含む高確高ベース状態）と、前記特定期間及び前記所定期間と遊技者にとっての有利度が異なる特別期間（例えば、低確高ベース状態）と、を含み、
前記遊技価値集計手段は、前記有利期間において前記遊技価値付与手段により付与された遊技価値の集計値である第１集計値（例えば、連荘中に払い出された全ての賞球数の値）を集計可能であるとともに、前記特定期間と前記所定期間の期間中において前記遊技価値付与手段により付与された遊技価値の集計値である第２集計値（例えば、確変大当りＡの大当り遊技中に払い出された賞球数とスペシャルゾーン中に払い出された賞球数）を集計可能であり、
前記集計値表示手段は、前記第１集計値と前記第２集計値とを表示可能であり（例えば、図８−２３に示すように、連荘中に払い出された全ての賞球数の集計値である第１賞球数カウンタの値１１３ＳＧ００５Ａと確変大当りＡの大当り遊技中に払い出された賞球数とスペシャルゾーン中に払い出された賞球数の集計値である第２賞球数カウンタの値１１３ＳＧ００５Ｂとを画像表示装置５に表示可能な部分）、
さらに、
遊技媒体が特定領域を通過したことに基づいて、設定値に応じた特定制御を実行可能な特定制御手段と、
前記設定値を変更可能な設定変更モードに制御可能な設定変更モード制御手段と、
を備え、
前記設定変更モードに制御されているときは、遊技媒体が前記特定領域を通過しても前記特定制御が実行されないことを特徴としている。
この特徴によれば、有利期間における集計値を適切に表示することができる。また、設定値が変更される可能性があるときに特定制御が実行されてしまうことを防止することができる。
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
遊技を行うことが可能であり、遊技者にとって有利な有利状態に制御可能な遊技機であって、
前記有利状態に制御されることを示唆する複数種類の示唆演出を実行可能な示唆演出実行手段と、
前記複数種類の示唆演出のうちのいずれかの示唆演出が実行される場合、当該示唆演出が実行されるまでの所定期間を報知する報知演出を実行可能な報知演出実行手段と、を備え、
前記報知演出において前記所定期間を報知した後、当該所定期間が経過するよりも前に当該所定期間の報知を認識不能とし、
さらに、
遊技媒体が特定領域を通過したことに基づいて、設定値に応じた特定制御を実行可能な特定制御手段と、
前記設定値を変更可能な設定変更モードに制御可能な設定変更モード制御手段と、
を備え、
前記設定変更モードに制御されているときは、遊技媒体が前記特定領域を通過しても前記特定制御が実行されない
ことを特徴とする遊技機。
【手続補正２】
【補正対象書類名】明細書
【補正対象項目名】００１１
【補正方法】変更
【補正の内容】
【００１１】
（手段１）本発明による遊技機は、遊技を行うことが可能であり、遊技者にとって有利な有利状態（例えば、大当り遊技状態）に制御可能な遊技機であって、有利状態に制御されることを示唆する複数種類の示唆演出（例えば、予告演出Ａ〜Ｃ）を実行可能な示唆演出実行手段（例えば、演出制御用ＣＰＵ１２０におけるステップ１０５ＩＷＳ２１６を実行する部分）と、複数種類の示唆演出のうちのいずれかの示唆演出が実行される場合、当該示唆演出が実行されるまでの所定期間（例えば、「１０秒」、「２０秒」、「３０秒」）を報知する報知演出（例えば、図２０−１３（Ｂ）に示す報知表示１０５ＩＷ００３の表示）を実行可能な報知演出実行手段（例えば、演出制御用ＣＰＵ１２０におけるステップ１０５ＩＷＳ２０７を実行する部分）と、を備え、報知演出において所定期間を報知した後、当該所定期間が経過するよりも前に当該所定期間の報知を認識不能とし（例えば、演出制御用ＣＰＵ１２０におけるステップ１０５ＩＷＳ２１０を実行する部分）、さらに、遊技媒体が特定領域を通過したことに基づいて、設定値に応じた特定制御を実行可能な特定制御手段と、設定値を変更可能な設定変更モードに制御可能な設定変更モード制御手段と、を備え、設定変更モードに制御されているときは、遊技媒体が特定領域を通過しても特定制御が実行されないことを特徴とする。そのような構成によれば、報知演出を実行する場合の演出効果を高めることができる。
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
遊技者の動作を検出可能な検出手段と、
所定演出を実行可能な所定演出実行手段と、を備え、
前記所定演出実行手段は、前記所定演出の実行中に前記検出手段により遊技者の動作が検出されたことに基づいて、前記所定演出を構成する演出態様の少なくとも一部を中断することが可能であり、
前記所定演出が中断された場合に、前記有利状態に制御される期待度を示唆する特殊演出を実行可能な特殊演出実行手段と、
遊技媒体が特定領域を通過したことに基づいて、設定値に応じた特定制御を実行可能な特定制御手段と、
前記設定値を変更可能な設定変更モードに制御可能な設定変更モード制御手段と、をさらに備え、
前記設定変更モードに制御されているときは、遊技媒体が前記特定領域を通過しても前記特定制御が実行されない
ことを特徴とする遊技機。
【手続補正２】
【補正対象書類名】明細書
【補正対象項目名】０００６
【補正方法】変更
【補正の内容】
【０００６】
（１）  上記目的を達成するため、本願発明に係る遊技機は、
遊技者にとって有利な有利状態（大当り遊技状態等）に制御可能な遊技機（パチンコ遊技機１等）であって、
遊技者の動作を検出可能な検出手段（プッシュセンサ３５Ｂ等）と、
所定演出（図２６（ｂ）に示す楽譜画像１８４Ｆ００１を表示する第１所定演出等）を実行可能な所定演出実行手段（演出制御用ＣＰＵ１２０等）と、を備え、
前記所定演出実行手段は、前記所定演出の実行中に前記検出手段により遊技者の動作が検出されたことに基づいて、前記所定演出を構成する演出態様の少なくとも一部を中断することが可能であり（図２６（ｄ）に示すように、第１所定演出の実行中にプッシュボタン３１Ｂを操作することによってプッシュセンサ３５Ｂにより遊技者の動作が検出されたことに基づいて、第１所定演出を構成するエフェクト画像の付加を中断する等）、
前記所定演出が中断された場合に、前記有利状態に制御される期待度を示唆する特殊演出を実行可能な特殊演出実行手段（演出制御用ＣＰＵ１２０は、第１所定演出が中断された場合に、キャラクタ画像１８４Ｆ００２が期待度を示す特殊演出を実行する等）と、
遊技媒体が特定領域を通過したことに基づいて、設定値に応じた特定制御を実行可能な特定制御手段と、
前記設定値を変更可能な設定変更モードに制御可能な設定変更モード制御手段と、をさらに備え、
前記設定変更モードに制御されているときは、遊技媒体が前記特定領域を通過しても前記特定制御が実行されない。
【手続補正３】
【補正対象書類名】明細書
【補正対象項目名】０００７
【補正方法】変更
【補正の内容】
【０００７】
このような構成によれば、演出が中断されたときに面白みを与えることができ、遊技の興趣が向上する。また、設定値が変更される可能性があるときに特定制御が実行されてしまうことを防止することができる。
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
検出有効期間に遊技者の動作を検出可能な検出手段と、
前記検出手段が所定期間継続して遊技者の動作を検出したことにより、連続して遊技者の動作を検出したとみなす特定条件が成立したことを判定する判定手段と、
前記特定条件が成立している場合に、動作を検出したことに対応して確認演出を実行するとともに、前記確認演出が特定期間行われたときに演出態様を通常態様から特定態様に変化させた演出を実行可能な演出実行手段と、を備え、
前記演出実行手段は、前記演出態様が前記特定態様となったときに、前記特定条件が成立している場合であっても前記確認演出の実行を制限するとともに、該制限の後に前記確認演出を再度実行し、
さらに、
遊技媒体が特定領域を通過したことに基づいて、設定値に応じた特定制御を実行可能な特定制御手段と、
前記設定値を変更可能な設定変更モードに制御可能な設定変更モード制御手段と、
を備え、
前記設定変更モードに制御されているときは、遊技媒体が前記特定領域を通過しても前記特定制御が実行されない
ことを特徴とする遊技機。
【手続補正２】
【補正対象書類名】明細書
【補正対象項目名】０００６
【補正方法】変更
【補正の内容】
【０００６】
（１）上記目的を達成するため、本発明に係る遊技機は、
遊技者にとって有利な有利状態に制御可能な遊技機（例えば、パチンコ遊技機１など）であって、
検出有効期間に遊技者の動作を検出可能な検出手段（例えば、プッシュボタン３１Ｂなど）と、
前記検出手段が所定期間継続して遊技者の動作を検出したことにより、連続して遊技者の動作を検出したとみなす特定条件（例えば、演出制御用ＣＰＵ１２０がプッシュボタン３１Ｂの長押し操作を所定期間に亘り継続されるなど）が成立したことを判定する判定手段（例えば、オート連打機能など）と、
前記特定条件が成立している場合に、動作を検出したことに対応して確認演出（例えば、エフェクト演出１７７Ｆ００２など）を実行するとともに、前記確認演出が特定期間（例えば、プッシュボタン３１Ｂの操作が特定回数（例えば１０回）に達した場合）行われたときに演出態様を通常態様から特定態様（例えば、特別演出１７７Ｆ００３の実行など）に変化させた演出を実行可能な演出実行手段（例えば、演出制御基板１２など）と、を備え、
前記演出実行手段は、前記演出態様が前記特定態様となったときに、前記特定条件が成立している場合であっても前記確認演出の実行を制限するとともに（例えば、エフェクト演出１７７Ｆ００２は、特別演出１７７Ｆ００３の実行時間中には実行されないなど）、該制限の後に前記確認演出を再度実行し（例えば、特別演出１７７Ｆ００３が終了した場合、エフェクト演出１７７Ｆ００２が実行される演出を再開する）、
さらに、
遊技媒体が特定領域を通過したことに基づいて、設定値に応じた特定制御を実行可能な特定制御手段と、
前記設定値を変更可能な設定変更モードに制御可能な設定変更モード制御手段と、
を備え、
前記設定変更モードに制御されているときは、遊技媒体が前記特定領域を通過しても前記特定制御が実行されない
ことを特徴とする。
【手続補正３】
【補正対象書類名】明細書
【補正対象項目名】０００７
【補正方法】変更
【補正の内容】
【０００７】
このような構成によれば、確認演出の実行を一旦制限することで演出態様が特定態様となったことを注目させることができ、演出状態に関して遊技の興趣が向上する。また、設定値が変更される可能性があるときに特定制御が実行されてしまうことを防止することができる。
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
種類の異なる複数の演出の各々に対応する項目を遊技者が選択可能に表示して、演出の選択を受付け可能な演出選択手段と、
前記演出選択手段にて受付けた演出を実行可能な演出実行手段と、
特定演出を実行可能な特定演出実行手段と、
を備え、
前記特定演出が第１態様で実行された場合と前記特定演出が第２態様で実行された場合とで、前記演出選択手段が項目の選択を受付ける際の表示態様が異なり、
さらに、
遊技媒体が特定領域を通過したことに基づいて、設定値に応じた特定制御を実行可能な特定制御手段と、
前記設定値を変更可能な設定変更モードに制御可能な設定変更モード制御手段と、
を備え、
前記設定変更モードに制御されているときは、遊技媒体が前記特定領域を通過しても前記特定制御が実行されない
ことを特徴とする遊技機。
【手続補正２】
【補正対象書類名】明細書
【補正対象項目名】０００６
【補正方法】変更
【補正の内容】
【０００６】
前記課題を解決するために、本発明の手段１の遊技機は、
遊技を行うことが可能な遊技機（例えば、パチンコ遊技機１）であって、
種類の異なる複数の演出の各々に対応する項目（例えば、第１項目や第２項目）を遊技者が選択可能に表示して、演出の選択を受付け可能な演出選択手段（例えば、演出制御用ＣＰＵ１２０が１１１ＳＧＳ４３５や１１１ＳＧＳ４６６、１１１ＳＧＳ４６７にて第１選択画面や第２選択画面を表示する部分など）と、
前記演出選択手段にて受付けた演出を実行可能な演出実行手段（例えば、演出制御用ＣＰＵ１２０が１１１ＳＧＳ３０５の予告演出処理においてバトル予告やＳＵ予告を実行する部分など）と、
特定演出を実行可能な特定演出実行手段（例えば、演出制御用ＣＰＵ１２０が第１選択演出を実行する部分）と、
を備え、
前記特定演出が第１態様で実行された場合と前記特定演出が第２態様で実行された場合とで、前記演出選択手段が項目の選択を受付ける際の表示態様が異なり（例えば、演出制御用ＣＰＵ１２０が、ＳＵ予告の第１選択演出にてキャラクタＡの選択を受付けた場合、第２選択画面においてパターンＸの第２項目を初期選択状態とし、第１選択演出にてキャラクタＢの選択を受付けた場合、第２選択画面においてパターンＹの第２項目を初期選択状態とし、第１選択演出にてキャラクタＣの選択を受付けた場合、第２選択画面においてパターンＺの第２項目を初期選択状態とする部分。予告演出処理における１１１ＳＧＳ４６０〜１１１ＳＧＳ４６６の処理を実行する部分）、
さらに、
遊技媒体が特定領域を通過したことに基づいて、設定値に応じた特定制御を実行可能な特定制御手段と、
前記設定値を変更可能な設定変更モードに制御可能な設定変更モード制御手段と、
を備え、
前記設定変更モードに制御されているときは、遊技媒体が前記特定領域を通過しても前記特定制御が実行されない
ことを特徴としている。
この特徴によれば、特定演出の態様に応じて項目の表示態様が変わるため、興趣が向上する。また、設定値が変更される可能性があるときに特定制御が実行されてしまうことを防止することができる。
【手続補正書】
【提出日】令和1年11月13日(2019.11.13)
【手続補正１】
【補正対象書類名】特許請求の範囲
【補正対象項目名】全文
【補正方法】変更
【補正の内容】
【特許請求の範囲】
【請求項１】
無線通信システム用のアンテナであって、
信号を伝送するための前側、および、前記前側と反対側の後側を有する反射板と、
前記反射板の前記前側に配置されたアンテナ発振器と、
前記反射板の前記後側に配置された位相シフタネットワークと、
前記反射板の前記前側に配置され、かつ、前記アンテナ発振器を前記反射板の前記前側に固定するよう構成された、アンテナ発振器固定機器と、
前記反射板の前記前側に配置された、半田付けのために用いられる機器と、
を備え、
前記アンテナ発振器は、前記反射板の前記前側に配置され、かつ、前記アンテナにより伝送および受信されることになる信号と所要電力とを移送するための同軸ケーブルに接続するよう構成された、同軸ケーブル半田付け端部を備え、
前記アンテナ発振器固定機器は、前記アンテナ発振器を固定するための凸状の板を含み、該凸状の板は固定のための孔を備え、
前記アンテナ発振器は、前記孔を介した前記凸状の板との間のネジ接続によって、該凸状の板に取り付けられ、且つ、該凸状の板から取り外されるように構成されており、
前記半田付けのために用いられる機器は誘導半田付けのために用いられる機器であり、
前記誘導半田付けのために用いられる機器は、
前記反射板上の、前記同軸ケーブル半田付け端部と前記同軸ケーブルとの間の接続点に配置され、かつ、
前記同軸ケーブル半田付け端部を前記同軸ケーブルに半田付けするよう構成され、かつ、
前記同軸ケーブル半田付け端部を前記同軸ケーブルから結合解除するよう構成されている、
アンテナ。
【請求項２】
前記同軸ケーブル半田付け端部は、前記反射板の前記前側に平行な方向に延びている、請求項１に記載のアンテナ。
【請求項３】
前記反射板は、前記同軸ケーブルが、前記アンテナにより伝送および受信されることになる信号と、所要電力とを移送して前記反射板を通過させることを可能にするよう構成された、孔を備える、請求項１に記載のアンテナ。
【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
携帯端末における制御方法であって、
検索によって見つかった少なくとも１つの装置の情報と、オブジェクトを含む画面を表示する画面表示工程と、
少なくとも前記オブジェクトの操作に基づいて、前記携帯端末が接続されているアクセスポイントのＳＳＩＤを表示するＳＳＩＤ表示工程とを有することを特徴とする携帯端末の制御方法。
【請求項２】
前記検索は、検索オブジェクトを選択することによって行われることを特徴とする請求項１に記載の携帯端末の制御方法。
【請求項３】
前記装置を検索することによって見つかった前記少なくとも１つの装置から、ジョブを送信すべき宛先の装置を選択する選択工程をさらに有することを特徴とする請求項１または２に記載の携帯端末の制御方法。
【請求項４】
前記ＳＳＩＤを装置で選択するようにユーザに促すメッセージが、前記携帯端末が接続されているアクセスポイントのＳＳＩＤとともに表示されることを特徴とする請求項１乃至３のいずれか１項に記載の携帯端末の制御方法。
【請求項５】
携帯端末における制御方法であって、
検索によって装置が見つからなかったことを示す情報と、オブジェクトを含む画面を表示する画面表示工程と、
少なくとも前記オブジェクトの操作に基づいて、前記携帯端末が接続されているアクセスポイントのＳＳＩＤを表示するＳＳＩＤ表示工程とを有することを特徴とする携帯端末の制御方法。
【請求項６】
前記装置の無線ネットワークの設定に関するマニュアル情報を表示するためのオブジェクトが、前記携帯端末が接続されているアクセスポイントのＳＳＩＤとともに表示されることを特徴とする請求項５に記載の携帯端末の制御方法。
【請求項７】
前記オブジェクトの操作を受け付けたときに前記携帯端末がアクセスポイントに接続されていない場合にエラーを表示する請求項１乃至６のいずれか１項に記載の携帯端末の制御方法。
【請求項８】
前記装置は印刷装置であることを特徴とする請求項１乃至７のいずれか１項に記載の携帯端末の制御方法。
【請求項９】
請求項１乃至８のいずれか１項に記載の携帯端末の制御方法を、コンピュータに実行させるためのプログラム。
【請求項１０】
請求項９に記載のプログラムを記憶した、コンピュータ読み取り可能な記憶媒体。
【請求項１１】
携帯端末であって、
表示手段と、
検索によって見つかった少なくとも１つの装置の情報と、オブジェクトを含む画面を前記表示手段に表示させる制御手段とを有し、
前記制御手段は、少なくとも前記オブジェクトの操作に基づいて、前記携帯端末が接続されているアクセスポイントのＳＳＩＤを前記表示手段に表示させることを特徴とする携帯端末。
【請求項１２】
前記検索は、検索オブジェクトを選択することによって行われることを特徴とする請求項１１記載の携帯端末。
【請求項１３】
前記装置を検索することによって見つかった前記少なくとも１つの装置から、ジョブを送信すべき宛先の装置を選択する選択手段をさらに有することを特徴とする請求項１１または１２に記載の携帯端末。
【請求項１４】
前記ＳＳＩＤを装置で選択するようにユーザに促すメッセージが、前記携帯端末が接続されているアクセスポイントのＳＳＩＤとともに表示されることを特徴とする請求項１１乃至１３のいずれか１項に記載の携帯端末。
【請求項１５】
携帯端末であって、
表示手段と、
検索によって装置が見つからなかったことを示す情報と、オブジェクトを含む画面を前記表示手段に表示させる制御手段とを有し、
前記制御手段は、少なくとも前記オブジェクトの操作に基づいて、前記携帯端末が接続されているアクセスポイントのＳＳＩＤを前記表示手段に表示させることを特徴とする携帯端末。
【請求項１６】
前記装置の無線ネットワークの設定に関するマニュアル情報を表示するためのオブジェクトが、前記携帯端末が接続されているアクセスポイントのＳＳＩＤとともに表示されることを特徴とする請求項１５に記載の携帯端末。
【請求項１７】
前記オブジェクトの操作を受け付けたときに前記携帯端末がアクセスポイントに接続されていない場合にエラーが表示される請求項１１乃至１６のいずれか１項に記載の携帯端末。
【請求項１８】
前記装置は印刷装置であることを特徴とする請求項１１乃至１７のいずれか１項に記載の携帯端末。
【手続補正２】
【補正対象書類名】明細書
【補正対象項目名】発明の名称
【補正方法】変更
【補正の内容】
【発明の名称】携帯端末の制御方法、プログラム、記憶媒体、及び携帯端末
【手続補正３】
【補正対象書類名】明細書
【補正対象項目名】０００１
【補正方法】変更
【補正の内容】
【０００１】
本発明は、携帯端末の制御方法、プログラム、記憶媒体、及び携帯端末に関する。
【手続補正４】
【補正対象書類名】明細書
【補正対象項目名】０００５
【補正方法】変更
【補正の内容】
【０００５】
そこで本発明では、検索によって所望の装置を発見できる可能性を向上させることを目的とする。
【手続補正５】
【補正対象書類名】明細書
【補正対象項目名】０００６
【補正方法】変更
【補正の内容】
【０００６】
上述した課題を解決するために、本発明が提供する携帯端末の制御方法は、検索によって見つかった少なくとも１つの装置の情報と、オブジェクトを含む画面を表示する画面表示工程と、少なくとも前記オブジェクトの操作に基づいて、前記携帯端末が接続されているアクセスポイントのＳＳＩＤを表示するＳＳＩＤ表示工程とを有することを特徴とする。
【手続補正６】
【補正対象書類名】明細書
【補正対象項目名】０００７
【補正方法】変更
【補正の内容】
【０００７】
本発明によれば、検索によって所望の装置を発見できる可能性を向上させることができる。
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
プレイヤにより操作されるプレイヤ端末と通信により接続可能なコンピュータ装置において実行されるゲームプログラムであって、
コンピュータ装置を、
プレイヤ端末の現実世界における移動距離に応じて所定のアイテムをプレイヤに付与するアイテム付与手段、
前記所定のアイテムが所定の条件を満たしたことに基づいて、ゲーム媒体をプレイヤに付与可能とするゲーム媒体付与手段、
として機能させ、
前記所定のアイテムの一のアイテムは、ゲーム媒体の付与に関して、前記所定のアイテムの他のアイテムより有利である、ゲームプログラム。
【請求項２】
前記ゲーム媒体付与手段が、ゲーム媒体に設定されたレア度に応じて当該ゲーム媒体を付与する確率を変動する、
請求項１に記載のゲームプログラム。
【請求項３】
前記ゲーム媒体付与手段が、前記所定のアイテムが所定の条件を満たしたタイミングに応じてゲーム媒体を付与する確率を変動する、
請求項１又は２に記載のゲームプログラム。
【請求項４】
プレイヤ端末が、
プレイヤ端末により撮像された現実画像に対応する画像上に、ゲーム媒体を表示するものである、
請求項１〜３のいずれかに記載のゲームプログラム。
【請求項５】
プレイヤにより操作されるプレイヤ端末と、該プレイヤ端末と通信により接続可能なコンピュータ装置とにおいて実現されるゲームシステムであって、
プレイヤ端末の現実世界における移動距離に応じて所定のアイテムをプレイヤに付与するアイテム付与手段と、
前記所定のアイテムが所定の条件を満たしたことに基づいて、ゲーム媒体をプレイヤに付与可能とするゲーム媒体付与手段と
を備え、
前記所定のアイテムの一のアイテムは、ゲーム媒体の付与に関して、前記所定のアイテムの他のアイテムより有利である、ゲームシステム。
【請求項６】
プレイヤにより操作されるプレイヤ端末と通信により接続可能なコンピュータ装置において実行されるゲームプログラム制御方法であって、
プレイヤ端末の現実世界における移動距離に応じて所定のアイテムをプレイヤに付与するアイテム付与ステップと、
前記所定のアイテムが所定の条件を満たしたことに基づいて、ゲーム媒体をプレイヤに付与可能とするゲーム媒体付与ステップと
を含み、
前記所定のアイテムの一のアイテムは、ゲーム媒体の付与に関して、前記所定のアイテムの他のアイテムより有利である、ゲームプログラム制御方法。
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
遊技枠に交換可能に固定された遊技盤と、
前記遊技盤が固定される第１位置とは異なる第２位置に交換可能に固定される演出手段と、
表示手段に表示を行わせる制御手段と、
を備え、
前記制御手段は、
前記遊技盤を第１の遊技盤から第２の遊技盤に交換するとともに前記演出手段を前記第１の遊技盤に対応した第１の演出手段から第２の演出手段に交換した場合に、前記第２の演出手段が前記第２の遊技盤に対応しているときは、前記表示手段に対して、前記第２の遊技盤に対応した前記第２の演出手段に対応した表示内容で表示制御すると共に、前記第２の演出手段が前記第２の遊技盤に対応しないときは、前記表示手段に対して、前記第２の遊技盤に対応した前記第２の演出手段でない旨を示唆する表示内容で表示制御することを特徴とする遊技機。
【請求項２】
遊技枠に交換可能に固定された遊技盤と、
前記遊技盤が固定される第１位置とは異なり、前記遊技盤と分離した位置である第２位置に交換可能に固定された演出手段、
表示手段に表示を行わせる制御手段と、
を備え、
前記制御手段は、
前記遊技盤を第１の遊技盤から第２の遊技盤に交換するとともに前記演出手段を前記第１の遊技盤に対応した第１の演出手段から前記第２の遊技盤に対応した第２の演出手段に交換した場合に、前記表示手段に表示する表示内容を、前記第２の遊技盤に対応した前記第２の演出手段に対応した表示内容で表示制御することを特徴とする遊技機。
【手続補正２】
【補正対象書類名】明細書
【補正対象項目名】０００６
【補正方法】変更
【補正の内容】
【０００６】
本発明は、上述の課題の少なくとも一部を解決するためになされたものであり、以下の適用例として実現することが可能である。なお、本欄における括弧内の参照符号や補足説明等は、本発明の理解を助けるために、後述する実施形態との対応関係を示したものであって、本発明を何ら限定するものではない。
［適用例１］
本発明の遊技機（１００）では、遊技枠（１７０）に交換可能に固定された遊技盤（１０２）と、前記遊技盤が固定される第１位置とは異なる第２位置に交換可能に固定される演出手段（１３５）と、表示手段（１３１）に表示を行わせる制御手段（３２０）と、を備え、前記制御手段は、前記遊技盤を第１の遊技盤から第２の遊技盤に交換するとともに前記演出手段を前記第１の遊技盤に対応した第１の演出手段（１３５）から第２の演出手段（２３３５）に交換した場合に、前記第２の演出手段が前記第２の遊技盤に対応しているときは、前記表示手段に対して、前記第２の遊技盤に対応した前記第２の演出手段に対応した表示内容で表示制御すると共に、前記第２の演出手段が前記第２の遊技盤に対応しないときは、前記表示手段に対して、前記第２の遊技盤に対応した前記第２の演出手段でない旨を示唆する表示内容で表示制御することを要旨とする。
［適用例２］
本発明の遊技機（１００）では、遊技枠（１７０）に交換可能に固定された遊技盤（１０２）と、前記遊技盤が固定される第１位置とは異なり、前記遊技盤と分離した位置である第２位置に交換可能に固定された演出手段（１３５）と、表示手段（１３１）に表示を行わせる制御手段（３２０）と、を備え、前記制御手段は、前記遊技盤を第１の遊技盤（１０２）から第２の遊技盤（２３０２）に交換するとともに前記演出手段を前記第１の遊技盤に対応した第１の演出手段（１３５）から前記第２の遊技盤に対応した第２の演出手段（２３３５）に交換した場合に、前記表示手段に表示する表示内容を、前記第２の遊技盤に対応した前記第２の演出手段に対応した表示内容で表示制御することを要旨とする。
【手続補正３】
【補正対象書類名】明細書
【補正対象項目名】０３３７
【補正方法】削除
【補正の内容】
【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
腹腔鏡手術において使用する装置であって、
組織相互作用部分(130)を有する末端と、
デバイスアクチュエータ(110)を有する基端と、
基端及び末端を有する保護鞘体(122)であって、前記組織相互作用部分(130)と前記デバイスアクチュエータ(110)との間で少なくとも部分的に延在する保護鞘体(122)と、
前記保護鞘体(122)内に配置された複数の嵌合伸縮区画(254)であって、前記保護鞘体(122)に対して、前記嵌合伸縮区画の第１篏合伸縮区画(424’)の本体区画(528’)が前記嵌合伸縮区画の第２篏合伸縮区画(424”)の本体区画(528”)から離間されている伸張形態(432)と、前記嵌合伸縮区画の第１篏合伸縮区画(424’)の本体区画(528’)が前記嵌合伸縮区画の第２篏合伸縮区画(424”)の本体区画(528”)と接触している縮動形態(534)との間で移動可能である、複数の嵌合伸縮区画(254)と、
を具備し、
前記複数の篏合伸縮区画(254)は、前記デバイスアクチュエータ(110)の操作に応じて,
前記伸張形態(432)から可動であり、
前記組織相互作用部分(130)は、前記デバイスアクチュエータ(110)の操作に応じて、組織と相互作用するように構成されている、装置。
【請求項２】
前記組織相互作用部分(130)は、把持機構、挟持区画、結合機構、または、切断機構の少なくとも１つを有する、請求項１に記載の装置。
【請求項３】
前記把持機構、前記挟持区画、前記結合機構、または、前記切断機構の少なくとも１つは、前記デバイスアクチュエータの操作に応じて組織と相互作用するように構成されている、請求項２に記載の装置。
【請求項４】
前記デバイスアクチュエータは、前記操作に応じて、前記篏合伸縮区画を移動するように構成されたロッド(1554)を有する、請求項１に記載の装置。
【請求項５】
切断機構(640)と、前記保護鞘体(122)内に配置された少なくとも１つのステープル押圧体(1574)と、をさらに有し、
前記ロッド(1554)の平行移動に応じて、前記少なくとも１つのステープル押圧体(1574)が平行移動可能であり、
前記ロッド(1554)は、前記切断機構(640)を動かすようにさらに構成されている、
請求項４に記載の装置。
【請求項６】
前記少なくも１つのステープル押圧体(1574)は、前記ロッド(1554)の遠位移動及び近位移動に応じて、前記少なくとも１つのステープル押圧体(1574)の遠位移動及び近位移動を可能にするように構成された隆起された追随区画(1592)と隆起された前側区画(1591)とを有し、
前記切断機構(1540)は、隆起された追随区画(1592)を有し、これにより、前記切断機構(1540)の移動が、前記少なくとも１つのステープラ押圧体(1574)の移動に対して遅延される、請求項５に記載の装置。
【請求項７】
前記保護鞘体(122)内に配置された切断機構(640)であって、前記保護鞘体(122)に対して摺動可能であり、前記複数の篏合伸縮区画(424’、424”)の少なくとも１つにおける下側区画スロット(439)を通して摺動可能である切断機構(640)をさらに有する、請求項１に記載の装置。
【請求項８】
前記複数の篏合伸縮区画の第１篏合伸縮区画(424’)は、取付け区画(326)をさらに有し、
前記複数の篏合伸縮区画の第２篏合伸縮区画(424”)は、前記複数の篏合伸縮区画の第１篏合伸縮区間(424’)の前記取付け区画(326)を摺動可能に受容するように適合された本体区画ノッチ(323)をさらに有し、これにより、
前記複数の篏合伸縮区画の第１篏合伸縮区画及び第２篏合伸縮区画(424’、424”)は、前記伸張形態(432)と前記縮動形態(534)において結合が維持される、
請求項７に記載の装置。
【請求項９】
前記保護鞘体(122)、前記取付け区画(326)、前記本体区画ノッチ(323)は、前記複数の篏合伸縮区画(424’、424”)を摺動動作に制限するように適合されている、請求項８に記載の装置。
【請求項１０】
前記デバイスアクチュエータは、前記操作に応じて、前記篏合伸縮区画を移動するように構成されたロッド(1554)を有し、
前記ロッド(1554)、前記取付け区画(326)、前記本体区画ノッチ(323)は、前記デバイスアクチュエータ(110)の第２操作に応じて、前記縮動形態(534)から前記伸張形態(432)への移動を可能にするように適合されている、請求項８に記載の装置。
【請求項１１】
前記装置を単回使用に制限するように構成された繋止鞘体(1060)または挟持用鞘体(1050)の少なくとも１つをさらに有する、請求項１に記載の装置。
【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
エンドエフェクタをハンドルアセンブリに作動可能に接続するためのアダプタアセンブリであって、前記アダプタアセンブリは、
ハンドルアセンブリに作動可能に接続するように構成されたコネクタアセンブリと、
前記コネクタアセンブリを通って作動可能に受容されている駆動転送アセンブリであって、前記駆動転送アセンブリは、第１の回転可能なシャフトと、第２の回転可能なシャフトと、第３の回転可能なシャフトとを含む、駆動転送アセンブリと、
前記第１の回転可能なシャフトに作動可能に接続されている第１のプッシャアセンブリであって、第１の機能を実行するために、前記第１の回転可能なシャフトからの回転運動を長手方向の動きに変換するための第１のプッシャアセンブリと、
前記第２の回転可能なシャフトに作動可能に接続されている第２のプッシャアセンブリであって、前記第２のプッシャアセンブリは、第２の機能を実行するために、前記第２の回転可能なシャフトからの回転運動を長手方向の動きに変換するためのものであり、前記第２のプッシャアセンブリは、前記第１のプッシャアセンブリと実質的に類似している、第２のプッシャアセンブリと、
前記第３の回転可能なシャフトに作動可能に接続されている駆動部材であって、第３の機能を実行するために、前記第３の回転可能なシャフトからの回転運動を転送するための駆動部材と
を備える、アダプタアセンブリ。
【請求項２】
前記第１のプッシャアセンブリは、第１の遊星歯車アセンブリを含む、請求項１に記載のアダプタアセンブリ。
【請求項３】
前記第２のプッシャアセンブリは、第２の遊星歯車アセンブリを含む、請求項２に記載のアダプタアセンブリ。
【請求項４】
前記第１の遊星歯車アセンブリは、第１の遊星歯車システムおよび第２の遊星歯車システムを含む、請求項２に記載のアダプタアセンブリ。
【請求項５】
前記第２の遊星歯車アセンブリは、第１の遊星歯車システムおよび第２の遊星歯車システムを含む、請求項３に記載のアダプタアセンブリ。
【請求項６】
前記第１の遊星歯車アセンブリは、前記第１の回転可能なシャフトからの回転の速度を低減するように構成されている、請求項２に記載のアダプタアセンブリ。
【請求項７】
前記第２の遊星歯車アセンブリは、前記第２の回転可能なシャフトからの回転の速度を低減するように構成されている、請求項３に記載のアダプタアセンブリ。
【請求項８】
前記第１のプッシャアセンブリは、前記第１の遊星歯車アセンブリに作動可能に接続されている第１の駆動スクリューを含む、請求項２に記載のアダプタアセンブリ。
【請求項９】
前記第２のプッシャアセンブリは、前記第２の遊星歯車アセンブリに作動可能に接続されている第２の駆動スクリューを含む、請求項３に記載のアダプタアセンブリ。
【請求項１０】
前記第１のプッシャアセンブリは、第１の駆動スクリューの周りで作動可能に受容されている第１のプッシャ部材を含む、請求項１に記載のアダプタアセンブリ。
【請求項１１】
前記第２のプッシャアセンブリは、前記第２の駆動スクリューの周りで作動可能に受容されている第２のプッシャ部材を含む、請求項１０に記載のアダプタアセンブリ。
【請求項１２】
前記第１の駆動スクリューの回転は、前記第１のプッシャ部材の長手方向の動きを引き起こす、請求項１０に記載のアダプタアセンブリ。
【請求項１３】
前記第２の駆動スクリューの回転は、前記第２のプッシャ部材の長手方向の動きを引き起こす、請求項１１に記載のアダプタアセンブリ。
【請求項１４】
ベースと、長手軸に沿って前記ベースに対して回転可能な支持構造物とをさらに含む、請求項１に記載のアダプタアセンブリ。
【請求項１５】
前記コネクタアセンブリおよび前記駆動転送アセンブリは、前記ベース内に配置されており、前記第１のプッシャアセンブリおよび前記第２のプッシャアセンブリは、前記支持構造物内に配置されている、請求項１４に記載のアダプタアセンブリ。
【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
迷走神経に電流を印加しててんかんまたはうつ病を治療するための埋込型マイクロ刺激ユニットであって、
受動刺激回路およびフィードスルーを備える筐体と、
可撓性延長部であって、前記可撓性延長部内に位置決めされた少なくとも１つの電極およびエネルギ受容コイルを備え、前記電極が、前記迷走神経に刺激を与えるように位置決めされ、前記電極および前記エネルギ受容コイルが、埋込型マイクロ刺激ユニットを形成するように、前記フィードスルーを介して該受動刺激回路に接続可能である可撓性延長部と、を備え、
前記筐体と可撓性延長部が、連結して埋込型マイクロ刺激ユニットを形成するように互いに対応し且つ相補的な形状を有している、
ことを特徴とする埋込型マイクロ刺激ユニット。
【請求項２】
前記少なくとも１つの電極は、第１の電極および第２の電極を備える、
請求項１に記載の埋込型マイクロ刺激ユニット。
【請求項３】
前記第１および第２の電極は、前記可撓性延長部の第１の側面に設置される、
請求項２に記載の埋込型マイクロ刺激ユニット。
【請求項４】
前記第１の電極は、前記可撓性延長部の第１の側面に設置され、前記第２の電極は、該可撓性延長部の第２の側面に設置される、
請求項２に記載の埋込型マイクロ刺激ユニット。
【請求項５】
前記少なくとも１つの電極のうちの少なくとも１つは、テクスチャ加工される、
請求項１に記載の埋込型マイクロ刺激ユニット。
【請求項６】
前記少なくとも１つの電極のうちの少なくとも１つは、陥凹している、
請求項１に記載の埋込型マイクロ刺激ユニット。
【請求項７】
前記受動刺激回路は、ランピング制御ユニットを備える、
請求項１に記載の埋込型マイクロ刺激ユニット。
【請求項８】
前記マイクロ刺激ユニットは、１つ以上の被覆を備える、
請求項１に記載の埋込型マイクロ刺激ユニット。
【請求項９】
前記１つ以上の被覆のうちの少なくとも１つは、導電性である、
請求項８に記載の埋込型マイクロ刺激ユニット。
【請求項１０】
前記１つ以上の被覆のうちの少なくとも１つは、絶縁被覆である、
請求項８に記載の埋込型マイクロ刺激ユニット。
【請求項１１】
前記マイクロ刺激ユニットは、１つ以上の固定要素を備える、
請求項１に記載の埋込型マイクロ刺激ユニット。
【手続補正書】
【提出日】令和2年3月25日(2020.3.25)
【手続補正１】
【補正対象書類名】特許請求の範囲
【補正対象項目名】全文
【補正方法】変更
【補正の内容】
【特許請求の範囲】
【請求項１】
医療流体の移送および封じ込めを容易にするよう構成された医療コネクタシステムであって、前記医療コネクタシステムは、
第１医療コネクタであって、
シュラウドおよび内部流体通路を備える雄型部分、
第１係合構造、および
開位置と閉位置の間を移行するように構成された封止部材であって、前記封止部材が閉位置の場合に前記内部流体通路から前記封止部材を越えて進むことを防ぐよう前記封止部材が構成され、前記閉位置に向かって付勢された封止部材、
を備える第１医療コネクタと、
開構成と閉構成の間を移行するように構成された第２医療コネクタであって、
前記第１医療コネクタの少なくとも一部分を受け入れるよう構成された第１領域、
第２係合構造、
前記第１領域の内部空間内に少なくとも部分的に位置する流体導管であって、
第１閉端部と、
第２端部と、
前記流体導管内で前記流体導管の前記第１閉端部および前記第２端部の間を延びる導管通路と、
前記流体導管を通り前記導管通路内へ延びる、前記流体導管の前記第１閉端部近くの少なくとも１つのポートと、
を備える流体導管、および
前記第１領域の前記内部空間内に少なくとも部分的に位置する弾性封止部材であって、
第１端部と、
第２端部と、
前記弾性封止部材の前記第１端部における開口部であって、前記第２医療コネクタが前記開構成および前記閉構成の場合に前記流体導管の前記第１閉端部が前記開口部内に延在するように、前記開口部は、前記流体導管の前記第１閉端部の大きさおよび形に対応する大きさおよび形を有し、前記第２医療コネクタが前記閉構成の場合に、前記封止部材は、前記導管通路から通り前記流体導管の前記少なくとも１つのポートを通る流体の流れを防ぐよう構成される、開口部と、
を備える弾性封止部材、
を備える第２医療コネクタと、
を備え、
前記封止部材との前記流体導管の係合によって前記第１医療コネクタの前記封止部材が前記開位置に移行されるように、かつ前記第１医療コネクタが前記第２医療コネクタに接続される場合に、前記第２医療コネクタの前記弾性封止部材との前記第１医療コネクタの係合によって前記第２医療コネクタが前記開構成に移行されるように、前記第１医療コネクタは、前記第２医療コネクタと接続するよう構成され、
前記第１および第２医療コネクタが回転の必要なく略線形動作で互いに向かって移動することによって前記第１および第２医療コネクタは、共にしっかり取り付けられるよう構成されて、前記第２医療コネクタの前記第２係合構造が前記第１医療コネクタの前記第１係合構造と解放可能に結合し、
前記第１係合構造および前記第２係合構造の少なくとも一方は、前記第１係合構造および前記第２係合構造の他方を解放可能に係合するよう構成された移動可能なフックを備え、かつ前記第１係合構造および前記第２係合構造の前記少なくとも一方は、前記第１係合構造および前記第２係合構造の前記他方から前記移動可能なフックを解放するよう構成されたタブをさらに備える、医療コネクタシステム。
【請求項２】
前記第１医療コネクタおよび前記第２医療コネクタが連結解除された場合に、前記流体導管の前記第１閉端部が前記第２医療コネクタの外側の領域に露出する、請求項１に記載の医療コネクタシステム。
【請求項３】
前記第１医療コネクタおよび第２医療コネクタは、しっかり取り付けられながら互いに対して回転するよう構成されている、請求項１に記載の医療コネクタシステム。
【請求項４】
前記第２医療コネクタは、前記第１領域の前記内部空間内に少なくとも部分的に位置する付勢部分をさらに備え、前記付勢部分は、前記第２医療コネクタを前記閉構成に付勢するよう構成されている、請求項１に記載の医療コネクタシステム。
【請求項５】
前記第１医療コネクタが前記第２医療コネクタに解放可能に係合される場合に、前記第２医療コネクタの前記流体導管の少なくとも一部分が前記第１医療コネクタの封止部材の一部を貫通し、前記第１医療コネクタの内部領域に入るよう構成されている、請求項１に記載の医療コネクタシステム。
【請求項６】
前記第１医療コネクタが前記第２医療コネクタに解放可能に係合される場合に、前記第１医療コネクタの少なくとも一部分が前記第２医療コネクタの内部領域に入るよう構成されている、請求項１に記載の医療コネクタシステム。
【手続補正書】
【提出日】令和2年1月29日(2020.1.29)
【手続補正１】
【補正対象書類名】特許請求の範囲
【補正対象項目名】全文
【補正方法】変更
【補正の内容】
【特許請求の範囲】
【請求項１】
遊技領域へ向けて遊技球を発射する発射装置と、遊技球が通過可能に構成される通過手段と、その通過手段を遊技球が通過可能とする開位置および前記通過手段を遊技球が通過不能とする閉位置の間で変位する開閉手段と、その開閉手段を駆動する駆動手段と、を備える遊技機において、
前記通過手段を通過した遊技球を検出可能に構成される検出手段と、
前記通過手段を通過した遊技球が流下可能に構成され、前記検出手段と連結され、通過した遊技球が前記検出手段に検出される流下経路と、
前記流下経路内の遊技球に作用可能に構成され、前記流下経路を遊技球が通過可能な期間を制限する制限手段と、を備えることを特徴とする遊技機。
【請求項２】
基板ボックスを備えることを特徴とする請求項１記載の遊技機。
【手続補正２】
【補正対象書類名】明細書
【補正対象項目名】０００２
【補正方法】変更
【補正の内容】
【０００２】
入球口（通過手段）を開閉する開閉手段の開閉幅を変化させることで、入球口への入賞効率を変化させる遊技機がある（特許文献１）。
【手続補正３】
【補正対象書類名】明細書
【補正対象項目名】０００４
【補正方法】変更
【補正の内容】
【０００４】
しかしながら、上述した従来の遊技機では、通過手段への入球について改良の余地があるという問題点があった。
【手続補正４】
【補正対象書類名】明細書
【補正対象項目名】０００５
【補正方法】変更
【補正の内容】
【０００５】
本発明は、上記例示した問題点を解決するためになされたものであり、通過手段への入球について改良できる遊技機を提供することを目的とする。
【手続補正５】
【補正対象書類名】明細書
【補正対象項目名】０００６
【補正方法】変更
【補正の内容】
【０００６】
この目的を達成するために請求項１記載の遊技機は、遊技領域へ向けて遊技球を発射する発射装置と、遊技球が通過可能に構成される通過手段と、その通過手段を遊技球が通過可能とする開位置および前記通過手段を遊技球が通過不能とする閉位置の間で変位する開閉手段と、その開閉手段を駆動する駆動手段と、を備える遊技機であって、前記通過手段を通過した遊技球を検出可能に構成される検出手段と、前記通過手段を通過した遊技球が流下可能に構成され、前記検出手段と連結され、通過した遊技球が前記検出手段に検出される流下経路と、前記流下経路内の遊技球に作用可能に構成され、前記流下経路を遊技球が通過可能な期間を制限する制限手段と、を備える。
【手続補正６】
【補正対象書類名】明細書
【補正対象項目名】０００７
【補正方法】変更
【補正の内容】
【０００７】
請求項２記載の遊技機は、請求項１記載の遊技機において、基板ボックスを備える。
【手続補正７】
【補正対象書類名】明細書
【補正対象項目名】０００９
【補正方法】変更
【補正の内容】
【０００９】
請求項１記載の遊技機によれば、通過手段への入球について改良することができる。
【手続補正８】
【補正対象書類名】明細書
【補正対象項目名】００１０
【補正方法】変更
【補正の内容】
【００１０】
請求項２記載の遊技機によれば、請求項１記載の遊技機の奏する効果に加え、基板ボックスに基板を収容することができる。
【手続補正書】
【提出日】令和1年12月19日(2019.12.19)
【手続補正１】
【補正対象書類名】特許請求の範囲
【補正対象項目名】全文
【補正方法】変更
【補正の内容】
【特許請求の範囲】
【請求項１】
滅菌溶液製品バッグであって、
ブラダと、
入口端部及び出口端部を有するステムであって、前記ステムの前記出口端部は、前記ブラダに流体接続されている、ステムと、
前記ステムと一直線に配設されたフィルタであって、前記フィルタは、約０．１μｍ〜約０．５μｍの範囲の公称細孔径を有するフィルタ膜を有する、フィルタと
を備え、
前記ブラダは、少なくとも部分的に管によって互いに流体接続された複数のブラダを備え、前記ステム及び前記フィルタは、前記製品バッグを充填するために前記管及び前記複数のブラダに流体接続されている、滅菌溶液製品バッグ。
【請求項２】
前記管は、前記ステムから延在する第１の部品と、前記第１の部品から前記複数のブラダまで延在する複数の第２の部品とを備え、各第２の部品は、１つのブラダまで延在する、請求項１に記載の滅菌溶液製品バッグ。
【請求項３】
前記管は、密封可能な管を備える、請求項１〜２のいずれか１項に記載の滅菌溶液製品バッグ。
【請求項４】
前記第１の部品は、接合部まで延在し、前記複数の第２の部分は、前記接合部から前記複数のブラダまで延在する、請求項３に記載の滅菌溶液製品バッグ。
【請求項５】
前記フィルタは、単一フィルタを備える、請求項１〜４のいずれか１項に記載の滅菌溶液製品バッグ。
【請求項６】
前記フィルタは、平坦シート膜を備える、請求項１〜５のいずれか１項に記載の滅菌溶液製品バッグ。
【請求項７】
前記フィルタ膜は、中空繊維として、前記繊維の壁の中に存在する細孔を有して形状決定され、前記フィルタ膜の前記中空繊維の出口端部は、密封され、前記入口端部は、開放入口である、請求項１〜５のいずれか１項に記載の滅菌溶液製品バッグ。
【請求項８】
前記フィルタ膜は、前記入口端部と出口端部との間の前記ステムの内側に配設されている、請求項１〜７のいずれか１項に記載の滅菌溶液製品バッグ。
【請求項９】
前記フィルタは、複数のフィルタ膜を備える、請求項１〜８のいずれか１項に記載の滅菌溶液製品バッグ。
【請求項１０】
前記フィルタ膜は、約１５０μｍ〜約５００μｍの範囲の壁厚を有する、請求項１〜９のいずれか１項に記載の滅菌溶液製品バッグ。
【請求項１１】
前記フィルタ膜は、約３ｃｍ〜約２０ｃｍの範囲の長手方向寸法、約２ｍｍ〜約４ｍｍの範囲の内径、及び約２．３ｍｍ〜約５ｍｍの範囲の外径を有する、請求項１〜１０のいずれか１項に記載の滅菌溶液製品バッグ。
【請求項１２】
前記フィルタ膜は、ポリオレフィン、ポリビニリデンフルオリド、ポリメチルメタクリレート、ポリアクリロニトリル、ポリスルホン、ポリエーテルスルホン、及びカチオン電荷を含有するポリマーの材料のうちの少なくとも１つで作製される、請求項１〜１１のいずれか１項に記載の滅菌溶液製品バッグ。
【請求項１３】
前記ステムは、可撓性ステムまたは剛性ステムのうちの１つである、請求項１〜１２のいずれか１項に記載の滅菌溶液製品バッグ。
【請求項１４】
前記ステムは、ＰＶＣ、ＰＥＴ、ポリ（メタ）アクリレート、ポリカーボネート、ポリオレフィン、シクロオレフィンコポリマー、ポリスチレン、またはシリコーンポリマーの材料のうちの少なくとも１つで作製される、請求項１〜１３のいずれか１項に記載の滅菌溶液製品バッグ。
【請求項１５】
前記管は、ＰＶＣ、ＰＥＴ、ポリ（メタ）アクリレート、ポリカーボネート、ポリオレフィン、シクロオレフィンコポリマー、ポリスチレン、またはシリコーンポリマーの材料のうちの少なくとも１つで作製される、請求項１〜１４のいずれか１項に記載の滅菌溶液製品バッグ。
【請求項１６】
前記フィルタは、フィルタ本体内に収容されたフィルタ膜筐体によってＵ字形構成で固定された、少なくとも１つのＵ字形中空繊維フィルタ膜を含む、請求項１〜５及び８〜１５のいずれか１項に記載の滅菌溶液製品バッグ。
【請求項１７】
前記フィルタは、複数のＵ字形中空繊維フィルタ膜を含む、請求項１６に記載の滅菌溶液製品バッグ。
【請求項１８】
前記フィルタは、並列構成で固定された複数の平行な中空繊維膜フィルタを備える、請求項１〜５及び８〜１５のいずれか１項に記載の滅菌溶液製品バッグ。
【請求項１９】
前記フィルタは、円形パターンで配置された複数の平行な中空繊維膜フィルタを備える、請求項１〜５及び８〜１５のいずれか１項に記載の滅菌溶液製品バッグ。
【請求項２０】
前記フィルタ膜は、約０．１μｍ〜約０．２２μｍの範囲の公称細孔径を有する、請求項１〜１９のいずれか１項に記載の滅菌溶液製品バッグ。
【請求項２１】
各ブラダは、前記ブラダ間の縁部で少なくとも１つの他のブラダに接続され、各縁部は、前記ブラダを流体連通させる開口部を有する、請求項１〜２０のいずれか１項に記載の滅菌溶液製品バッグ。